(57)【特許請求の範囲】
【請求項１】
機台９上方に主伝動筒１６の上端部を上下回動自在に軸支し、該主伝動筒１６の下端部に刈取伝動ケ−ス２の左右方向中間部を接続し、該刈取伝動ケ−ス２から駆動する駆動スプロケット２８と該駆動スプロケット２８より前方に配置する受動スプロケット３１との間に株元搬送チェン２４を張設し、該株元搬送チェン２４を前記駆動スプロケット２８と受動スプロケット３１との間に張設した状態のまま前記駆動スプロケット２８側を中心として刈取装置の刈幅の外側へ向けて横方向回動可能に設ける一方、該株元搬送チェン２４に対向する挾持杆３５を刈取装置に位置固定に設け、もって、株元搬送チェン２４を駆動スプロケット２８と受動スプロケット３１との間に張設した状態のまま駆動スプロケット２８側を中心として刈取装置の刈幅の外側へ向けて横方向回動させることによって、株元搬送チェン２４と挾持杆３５との間隔を拡大できるように構成したことを特徴とするコンバインの刈取装置。
【発明の詳細な説明】
【０００１】
【発明の属する技術分野】
本発明は、コンバインに設ける刈取装置に関するものである。
【０００２】
【従来の技術】
従来より、コンバインに設ける刈取装置は、コンバインの車体側から駆動力の供給を受け、主伝動筒および刈取伝動ケ−スを介して引起し装置、掻込み装置、刈刃装置、搬送装置を分配駆動する構成である。
【０００３】
そして、これら主伝動筒、刈取伝動ケ−ス、引起し装置、掻込み装置、刈刃装置、搬送装置及び分草装置等は相対位置変更不能に一体的に構成している。
尚、前記搬送装置は、通常、ラグ式の穂先搬送装置とチェン式の株元搬送装置とから構成され、比較的長い搬送経路を形成している。
【０００４】
【発明が解決しようとする課題】
上記の従来の刈取装置においては、掻込み装置、刈刃装置、搬送装置等は刈取装置内方部に設けられている。また、これらの前方近接位置に、引起し装置及び分草装置が配置され、且つ、これらの装置群は相対位置変更不能に一体的に構成されている。
【０００５】
一方、刈取作業によって前記掻込み装置、刈刃装置、搬送装置等に穀稈、藁屑、雑草等が詰ったり巻き付いたりした場合には、これを解消するメンテナンス作業を行う必要がある。また、部品の損傷等が発生した場合には、該部品の交換作業を行う必要がある。
【０００６】
前述の従来の刈取装置においては、特に、株元搬送装置を構成する株元搬送チェンを挾持杆との対向位置から刈取装置の刈幅の外側へ向けて移動させることができないため、例えば該株元搬送チェン部に穀稈が詰った場合に、当該株元搬送チェン部のメンテナンスを容易に行うことができず、作業能率が低下する欠点があった。しかも、この株元搬送チェンは、その搬送経路が比較的長いため、このようなメンテナンスは更に困難となる。
【０００７】
【課題を解決するための手段】
この発明は、上述の如き課題を解決するために、次のような技術的手段を講じる。
即ち、機台９上方に主伝動筒１６の上端部を上下回動自在に軸支し、該主伝動筒１６の下端部に刈取伝動ケ−ス２の左右方向中間部を接続し、該刈取伝動ケ−ス２から駆動する駆動スプロケット２８と該駆動スプロケット２８より前方に配置する受動スプロケット３１との間に株元搬送チェン２４を張設し、該株元搬送チェン２４を前記駆動スプロケット２８と受動スプロケット３１との間に張設した状態のまま前記駆動スプロケット２８側を中心として刈取装置の刈幅の外側へ向けて横方向回動可能に設ける一方、該株元搬送チェン２４に対向する挾持杆３５を刈取装置に位置固定に設け、もって、株元搬送チェン２４を駆動スプロケット２８と受動スプロケット３１との間に張設した状態のまま駆動スプロケット２８側を中心として刈取装置の刈幅の外側へ向けて横方向回動させることによって、株元搬送チェン２４と挾持杆３５との間隔を拡大できるように構成したことを特徴とするコンバインの刈取装置の構成としたものである。
【０００８】
しかして、コンバインによる刈取作業時には、株元搬送チェン２４を挾持杆３５に対向する位置に保持して搬送作業状態とする。
この状態で刈取装置を駆動すると、刈り取られた穀稈は、該株元搬送チェン２４と挾持杆３５とによって挾持搬送され、コンバインの機体に備える脱穀装置へ供給されて脱穀処理される。
【０００９】
一方、例えば株元搬送チェン２４部に穀稈が詰った場合には、該株元搬送チェン２４を駆動スプロケット２８と受動スプロケット３１との間に張設した状態のまま駆動スプロケット２８側を中心として刈取装置の刈幅の外側へ向けて横方向回動させる。
【００１０】
これにより、株元搬送チェン２４と挾持杆３５との間隔が拡大して、該株元搬送チェン２４部のメンテナンスを容易に行える状態となる。
また、このように株元搬送チェン２４を刈取装置の刈幅の外側へ向けて横方向回動させるため、株元搬送チェン２４を刈取装置の刈幅の内側へ向けて横方向回動させる場合に比較して、株元搬送チェン２４が刈取装置の外側に寄ってメンテナンスがより行い易くなる。
【００１１】
【発明の効果】
この発明によると、例えば株元搬送チェン２４部に穀稈が詰った場合でも、該株元搬送チェン２４を駆動スプロケット２８と受動スプロケット３１との間に張設した状態のまま駆動スプロケット２８側を中心として刈取装置の刈幅の外側へ向けて横方向回動させて当該株元搬送チェン２４部のメンテナンスを容易に行うことができ、このメンテナンス作業および刈取作業の能率を向上させることができる。
【００１２】
しかも、このように株元搬送チェン２４を刈取装置の刈幅の外側へ向けて横方向回動させるため、株元搬送チェン２４を刈取装置の刈幅の内側へ向けて横方向回動させる場合に比較して、株元搬送チェン２４が刈取装置の外側に寄ってメンテナンスをより容易に行え、このメンテナンス作業および刈取作業の能率を向上させることができる。
【００１３】
【発明の実施の形態】
この発明の実施の形態を説明する。
コンバインの車体１は、無限軌道帯式の左右の走行装置８，８の上方に機台９を設け、該機台９の上部に、脱穀装置１０と穀粒貯留装置１１とを並設し、更に操縦部１２、原動機１３等を設けて構成する。該車体１の前方には刈取主体７を刈取上下シリンダ１４により昇降自在に設ける。
【００１４】
前記刈取主体７は、左右方向の筒状体に形成した刈取伝動ケ−ス２と、該刈取伝動ケ−ス２から前方へ延出した刈取フレ−ム１５と、該刈取フレ−ム１５及び前記刈取伝動ケ−ス２によって支持される引起し装置３、掻込み装置４、刈刃装置５、搬送装置６とから構成する。
【００１５】
前記刈取伝動ケ−ス２は、前記車体１の原動機１３から駆動力の供給を受けて刈取装置各部へ駆動力を分配するものである。
前記引起し装置３は前記刈取伝動ケ−ス２から駆動力の供給を受けて作動し、圃場に植立する穀稈を引き起こすものである。
【００１６】
前記掻込み装置４は前記刈取伝動ケ−ス２から駆動力の供給を受けて作動し、前記引起し装置３によって引き起こされた植立穀稈を刈取装置内方へ掻き込むものである。
前記刈刃装置５は前記刈取伝動ケ−ス２から駆動力の供給を受けて作動し、前記掻込み装置４によって掻き込まれた穀稈の株元部を切断するものである。
【００１７】
前記搬送装置６は前記刈取伝動ケ−ス２から駆動力の供給を受けて作動し、前記刈刃装置５によって切断された刈取穀稈を後方の脱穀装置１０へ向けて搬送するものである。
前記刈取伝動ケ−ス２の左右方向中間部には主伝動筒１６の下端を接続し、該主伝動筒１６の上端部は、前記機台９上方位置に上下回動自在に軸承する。また、前記主伝動筒１６の上端部には刈取入力プ−リ（図示せず）を設け、該刈取入力プ−リへ前記原動機１３の駆動力を入力することにより、前記主伝動筒１６に内装する主伝動軸（図示せず）を介して前記刈取伝動ケ−ス２へ駆動力が供給される構成である。
【００１８】
引起し装置３はラグ式に構成し、その上端部背面側を、引起し伝動筒１７の上端部及びこれから左右方向に配置した上部伝動筒１８に対して取付け固定する。また、該引起し装置３の下部は、前記刈取フレ−ム１５の分草パイプ１９に取付け固定する。該引起し装置３は、前記刈取伝動ケ−ス２から前記引起し伝動筒１７及び上部伝動筒１８を介して駆動される構成である。
【００１９】
また、前記分草パイプ１９の先端部には分草装置２０を取り付ける。
前記引起し装置３の後方下部には刈刃装置５を設ける。該刈刃装置５はバリカン形態に形成し、前記刈取フレ−ム１５に取付け支持する。また、前記刈取伝動ケ−ス２端部からは刈刃駆動クランク２１を側方へ突出させ、該刈刃駆動クランク２１の回転を駆動ロッド２２の往復動に換えて刈刃ヘッドを左右方向摺動させる構成である。
【００２０】
搬送装置６は、ラグ式の穂先搬送装置２３と無端状の株元搬送チェン２４とから成る。
前記穂先搬送装置２３は、前記上部伝動筒１８から下方へ延出する穂先搬送伝動筒２５下部に取り付け、該穂先搬送伝動筒２５内装の伝動軸を介して前記上部伝動筒１８から連動駆動する構成である。
【００２１】
前記株元搬送チェン２４は、前記刈取主体７において左右両側及びその合流部に３分割して設ける。
一方、前記引起し伝動筒１７の上下中間部からは、横方向の引継ぎ伝動筒２６を内側へ向けて突設し、該引継ぎ伝動筒２６先端部には上下方向の中間伝動筒２７の上下中間部を接続する。該中間伝動筒２７の上端には穂先搬送装置２３を駆動可能に接続し、下端部には左側株元搬送駆動スプロケット２８を設ける。該左側株元搬送駆動スプロケット２８は、前記刈取伝動ケ−ス２から、前記引起し伝動筒１７、引継ぎ伝動筒２６、中間伝動筒２７に内装の伝動軸を介して連動駆動される構成である。
【００２２】
前記掻込み装置４は、上下方向の縦伝動筒２９に対して、その上端部にラグベルト式掻込み装置３０を設け、その下端部に前記受動スプロケット３１及び掻込みホイル３２を設け、該三者を同軸連動したものである。
また、前記中間伝動筒２７下部には前後方向の回動フレ−ム３３の後端部を横方向回動可能に遊嵌して取付け、該回動フレ−ム３３の中間部には前記掻込み装置４の縦伝動筒２９中間部を固定し、該回動フレ−ム３３の先端部は左端の前記分草パイプ１９中間部にボルト３４締結により着脱可能に連結する。
【００２３】
しかして、前記３つの株元搬送チェン２４のうち、前記刈取主体７左側に設ける株元搬送チェン２４の後部は、前記左側株元搬送駆動スプロケット２８に巻き掛ける。そして、前記刈取主体７左側に設ける株元搬送チェン２４の前部は、前記掻込み装置４の受動スプロケット３１に巻き掛ける。即ち、前記掻込み装置４は、前記左側株元搬送駆動スプロケット２８の駆動により、株元搬送チェン２４を介して連動駆動されるものである。
【００２４】
以上の構成により、前記ボルト３４を外し、前記回動フレ−ム３３先端部を刈取主体７外方へ引くと、該回動フレ−ム３３は前記中間伝動筒２７中心を軸心として外方へ回動する。これによって、該回動フレ−ム３３に支持されている掻込み装置４は前記刈取主体７から外方へ移動する。このとき、前記左側に設ける株元搬送チェン２４は、前記左側株元搬送駆動スプロケット２８と受動スプロケット３１との相対位置が変らないため、その張設状態を保てる。
【００２５】
この結果、前記左側に設ける株元搬送チェン２４と、該株元搬送チェン２４に対向して位置固定に設けた挾持杆３５との間隔が拡大し、ここに詰っていた穀稈等を容易に除去できるようになる。また、前記掻込み装置４の元位置周辺の空間が拡大し、この部分のメンテナンスも容易に行える状態になる。
【００２６】
また、前記刈取伝動ケ−ス２右側上部からは株元搬送伝動筒３６を立設し、該株元搬送伝動筒３６上端部には右側株元搬送駆動スプロケット３７を回転駆動可能に設ける。
そして、前記株元搬送伝動筒３６上部には、回動フレ−ム３３の後端部を横方向回動可能に遊嵌して取付け、該回動フレ−ム３３の中間部には右側の前記掻込み装置４の縦伝動筒２９中間部を固定し、該回動フレ−ム３３の先端部は右端の前記分草パイプ１９中間部にボルト３４締結により着脱可能に連結する。
【００２７】
以上の構成により、前記ボルト３４を外し、前記回動フレ−ム３３先端部を刈取主体７外方へ引くと、該回動フレ−ム３３は前記株元搬送伝動筒３６中心を軸心として外方へ回動する。これによって、該回動フレ−ム３３に支持されている右側の掻込み装置４は前記刈取主体７から右外方へ移動する。このとき、前記右側に設ける株元搬送チェン２４は、前記右側株元搬送駆動スプロケット３７と受動スプロケット３１との相対位置が変らないため、その張設状態を保てる。
【００２８】
この結果、前記右側に設ける株元搬送チェン２４と、該株元搬送チェン２４に対向して位置固定に設けた挾持杆３５との間隔が拡大し、ここに詰っていた穀稈等を容易に除去できるようになる。また、前記掻込み装置４の元位置周辺の空間が拡大し、この部分のメンテナンスも容易に行える状態になる。
【００２９】
尚、合流部の株元搬送チェン２４は、前記右側株元搬送駆動スプロケット３７と同軸に設けた合流株元搬送駆動スプロケット４３と、前記主伝動筒１６中間部に取り付けた支持ステ−４４に軸着の遊動ロ−ラ４５とにわたって巻き掛ける構成である。
【００３０】
コンバイン作業においては、原動機１３を駆動して走行装置８を前進駆動する。これと共に、刈取入力プ−リへの駆動入力により、主伝動筒１６を介して刈取伝動ケ−ス２へ入力がなされ、引起し装置３、掻込み装置４、刈刃装置５、及び搬送装置６が駆動される。これによって、圃場に植立する穀稈を刈り取り、後方の脱穀装置１０へ供給する。脱穀装置１０に供給された刈取穀稈は脱穀作用を受け、脱粒した穀粒は穀粒貯留装置１１へ投入され一時貯留される。
【００３１】
また、前記刈取主体７の左右中間部位には、前記左端および右端の掻込み装置４，４の掻込みホイル３２，３２と噛み合い、この噛み合いによって連動駆動される中間部の掻込み装置４，４を設ける。
該中間部の掻込み装置４，４は、支持フレ−ム４６，４６の中間部に前記縦伝動筒２９の中間部を取付け固定したものである。
【００３２】
また、前記上部伝動筒１８から下方へ延出する穂先搬送伝動筒２５中間部に、平面視Ｕ字形状のレ−ルパイプ４７の中央部を固着する。
そして、前記支持フレ−ム４６，４６の後端部を、前下がり姿勢の前記レ−ルパイプ４７の両端部に摺動可能に挿通する。前記支持フレ−ム４６，４６の前端部は前記分草パイプ１９の前部にボルト４８，４８締結する。
【００３３】
以上の構成により、前記ボルト４８，４８外し、前記支持フレ−ム４６，４６を前方下方へ向けて引くと、該支持フレ−ム４６，４６は前記レ−ルパイプ４７から抜け出て、前記中間部の掻込み装置４，４ごと刈取主体７から取り外すことができる。
【００３４】
これによって、当該部分及びその周辺のメンテナンスが更に容易になるものである。
また、前記機台９左側部に泥土案内部材４９を出し入れ自在に設けても良い。前記機台９を構成する角形フレ−ムの一部である前後の横フレ−ム５０，５０の側部を開口し、該開口端より、長手方向にロ−ラ５１，５１を軸着した丸パイプ状の支持フレ−ム５２，５２を出し入れ自在に挿入する。該支持フレ−ム５２，５２は、収納状態においては前記横フレ−ム５０，５０中に挿入、格納される。一方、前記支持フレ−ム５２，５２は、引き出し状態においては奥側のロ−ラ５１，５１中心に引き出し端部側が自重により下方傾動する。この状態においては、前記支持フレ−ム５２，５２奥側端部の上端隅部が、前記横フレ−ム５０，５０の端部近傍上部に設けた開口部より上方に露出し、前記支持フレ−ム５２，５２の下方傾動角を確保する構成である。また、前記横フレ−ム５０，５０側部開口端下面を切欠き、前記支持フレ−ム５２，５２の下方傾動角の確保を助長する。
【００３５】
前記支持フレ−ム５２，５２外側端部には、角形フレ−ムにより成るガイドフレ−ム５３を左側の走行装置８に沿う前後方向に配置して取り付ける。該ガイドフレ−ム５３はその前後端部を、前記車体１前部側方、及び前記左側の走行装置８後端部後方において、平面視、車体１内側へ向けて屈曲させる。
そして、前記ガイドフレ−ム５３後方部に泥土案内部材４９を取り付ける。
【００３６】
該泥土案内部材４９は板体より成り、前記ガイドフレ−ム５３前後方向部に沿う側面ガイド部５４と、前記ガイドフレ−ム５３後部屈曲部に沿う送り案内作用面部５５を有する。また、該泥土案内部材４９下縁部には、前後方向にそってフロ−ト５６を取り付ける。前記支持フレ−ム５２，５２引き出し状態において、前記泥土案内部材４９は前記フロ−ト５６により接地支持され、接地面の状態に追従して上下動するものである。
【００３７】
尚、前記支持フレ−ム５２を収納状態において固定するストッパピン５７を設ける。該ストッパピン５７は、前記横フレ−ム５０背面に穿った孔から差し込み、座金５７を介して押しスプリング５８によって前記横フレ−ム５０内に突出する状態に付勢して設ける。前記支持フレ−ム５２収納状態において、該支持フレ−ム５２中間部に設けた孔に前記ストッパピン５７の先端部が嵌合することにより、前記横フレ−ム５０に対して前記支持フレ−ム５２が係止されるものである。
【００３８】
コンバインによる左回り刈り作業中、左側の走行装置８によって該走行装置８に踏み込まれた泥土が塊状となって側方へ押しやられる。この泥土が左側の走行装置８側部近傍に位置する未刈り穀稈列に寄せ掛けられると、次回にこの未刈り穀稈列の刈り取りを行う際、刈取主体７に該泥土が取り込まれてしまう。この結果、刈取主体７の各装置群に詰りや破損等の支障を来す。
【００３９】
しかしながら、前述のような泥土案内部材４９を設けることにより、該泥土案内部材４９の側面ガイド部５４内側に入った塊状の泥土は、車体１の前進に伴い、後部の送り案内作用面部５５の内側面によって左側の走行装置８後方へ押しやられる。これによって、未刈り穀稈列への泥土の寄せ掛けはなくなり、前述のような刈取主体７の各装置群に詰りや破損等の支障が生じるのを防ぐことができるものである。
【００４０】
また、前記泥土案内部材４９を収納した状態では、該泥土案内部材４９のガイドフレ−５３がナロ−ガイドとして作用し、左側の未刈り穀稈が走行装置８に踏まれたり巻き込まれたりするのを防ぐことができる。
また、前記泥土案内部材４９をわずかに引き出した状態、即ち、前記支持フレ−ム５２，５２を前記横フレ−ム５０から側方へわずかに引き出した状態では、前記支持フレ−ム５２，５２は下方回動せず、横方向姿勢を保つ。この状態で、作業者は前記ガイドフレ−ム５３を踏み台として利用し、車体１上部のメンテナンス作業を容易に行うことができるものである。
【図面の簡単な説明】
【図１】この発明の第１実施例における要部の平面図である。
【図２】この発明の第１実施例における要部の側面図である。
【図３】この発明の第１実施例におけるコンバインの平面図である。
【図４】この発明の第１実施例におけるコンバインの側面図である。
【図５】この発明の第２実施例における要部の側面図である。
【図６】この発明の第２実施例における要部の平面図である。
【図７】この発明の第２実施例におけるコンバインの側面図である。
【図８】この発明の実施例における別部分の背面図である。
【図９】この発明の実施例における別部分の平面図である。
【図１０】この発明の実施例における一部の構成部材の説明図である。
【図１１】この発明の実施例における別部分の作用説明図である。
【符号の説明】
２ 刈取伝動ケ−ス
９ 機台
１６ 主伝動筒
２４  株元搬送チェン
２８ 駆動スプロケット
３１ 受動スプロケット
３５ 挾持杆
【図１】
0003743722.tif 000002
【図２】
0003743722.tif 000003
【図３】
0003743722.tif 000004
【図４】
0003743722.tif 000005
【図５】
0003743722.tif 000006
【図６】
0003743722.tif 000007
【図７】
0003743722.tif 000008
【図８】
0003743722.tif 000009
【図９】
0003743722.tif 000010
【図１０】
0003743722.tif 000011
【図１１】
0003743722.tif 000012